【手続補正書】
【提出日】令和3年2月22日(2021.2.22)
【手続補正１】
【補正対象書類名】特許請求の範囲
【補正対象項目名】全文
【補正方法】変更
【補正の内容】
【特許請求の範囲】
【請求項１】
液体を分注するための分注モジュールであって、該分注モジュールは、
作動装置キャビティと、本体キャビティと、前記作動装置キャビティと前記本体キャビティとを接続するニードル通路とを画定する作動装置ハウジングと、
前記作動装置キャビティ内に配置される作動装置と、
ニードルであって、該ニードルは、上端部と、長手方向において前記上端部に対向する下端部とを画定し、該下端部は、弁部材を画定し、該ニードルの前記上端部は、該ニードルが前記作動装置キャビティから前記ニードル通路を通って延びるように、前記作動装置に固定される、ニードルと、
前記作動装置ハウジングに解除可能に結合されるノズルアダプターであって、該ノズルアダプターは、上面を含むノズル本体と、前記上面から前記ノズル本体内に延びるシール座部と、可撓性シールを収納するように構成され、前記上面から前記ノズル本体内に延び、且つ前記シール座部を取り囲む凹部と、流体入口と、弁座部によって部分的に画定される流体チャネルと、前記流体入口及び前記流体チャネルに流体連通する流体出口とを画定し、前記流体チャネルは、前記シール座部から前記流体出口まで延び、該ノズルアダプターは、前記作動装置ハウジングに結合されると、前記ニードルの前記下端部が前記流体チャネル内に延びるように、前記本体キャビティ内に少なくとも部分的に配置されるように構成され、前記凹部及び前記シール座部は、前記長手方向に垂直な方向に沿って並ぶ、前記上面におけるそれぞれの上開口部を画定する、ノズルアダプターと、
前記シール座部内に収納されるように構成される少なくとも１つのシールであって、該少なくとも１つのシールは、前記ノズルアダプターの前記流体チャネルから前記作動装置ハウジングの前記ニードル通路内への前記液体の流れを防止するように構成される、少なくとも１つのシールと、
を備える、分注モジュール。
【請求項２】
前記本体キャビティは、頂面と、第１の横断方向内面と、前記長手方向に対して垂直な横断方向に沿って前記第１の横断方向内面に対向する第２の横断方向内面と、第１の横方向内面と、前記横断方向に垂直な横方向に沿って前記第１の横方向内面に対向する第２の横方向内面とによって画定される、請求項１に記載の分注モジュール。
【請求項３】
前記少なくとも１つのシールは、第１のシール及び第２のシールを含み、前記第１のシールは、前記第２のシールの上に積み重ねられて、頂面及び底面を集合的に画定し、前記第１のシールの前記頂面は、前記本体キャビティの前記頂面に接触するように構成され、前記第２のシールの前記底面は、前記第１のシール及び前記第２のシールが前記シール座部内に収納されると、前記流体チャネルを少なくとも部分的に画定する、請求項２に記載の分注モジュール。
【請求項４】
前記第１のシール及び前記第２のシールは、該シールの前記底面において前記長手方向に対して垂直な前記方向に沿って測定されるそれぞれの外径を画定し、前記流体チャネルは、該方向に沿って測定される最大径を画定し、前記流体チャネルの前記最大径は、前記第１のシールの前記外径及び前記第２のシールの前記外径よりも小さい、請求項３に記載の分注モジュール。
【請求項５】
前記流体チャネルは、前記長手方向に前記シール座部から前記弁座部まで延びる側壁を画定する、請求項１に記載の分注モジュール。
【請求項６】
前記流体出口は、前記長手方向に対して垂直な前記方向に沿って流体出口径を画定し、前記流体チャネルは、該方向に沿って測定される流体チャネル最大径を画定し、前記流体出口径は、前記流体チャネル最大径よりも小さい、請求項１に記載の分注モジュール。
【請求項７】
前記ノズル本体は、前記長手方向において前記上面に対向する下面と、前記長手方向に沿った前記上面と前記下面との間の位置において、前記ノズル本体から前記長手方向に垂直な横方向に延びる突出部とを有する、請求項１に記載の分注モジュール。
【請求項８】
前記作動装置ハウジングは、頂面と、前記長手方向において前記頂面に対向する底面とを更に画定し、該底面は、締結具を収納するように構成される第１の孔を画定し、前記突出部は、前記締結具を収納するように構成される第２の孔を画定し、前記締結具は、前記第１の孔及び前記第２の孔を通って延びるように構成され、それにより、前記締結具は、前記ノズルアダプターを前記作動装置ハウジングに解除可能に固定する、請求項７に記載の分注モジュール。
【請求項９】
液体を分注するための分注モジュールであって、該分注モジュールは、
作動装置ハウジングであって、該作動装置ハウジングは、頂面と、長手方向において前記頂面に対向する底面とを画定し、該底面は、締結具を収納するように構成される第１の孔を画定し、該作動装置ハウジングは、作動装置キャビティと、本体キャビティと、前記作動装置キャビティと前記本体キャビティとを接続するニードル通路とを更に画定する、作動装置ハウジングと、
前記作動装置キャビティ内に配置される作動装置と、
ニードルであって、該ニードルは、上端部と、前記長手方向において前記上端部に対向する下端部とを画定し、該下端部は、弁部材を画定し、該ニードルの前記上端部は、該ニードルが前記作動装置キャビティから前記ニードル通路を通って延びるように、前記作動装置に固定される、ニードルと、
ノズル本体を画定するノズルアダプターであって、前記ノズル本体は、上面と、前記長手方向において前記上面に対向する下面と、突出部とを有し、前記突出部は、前記長手方向に沿った前記上面と前記下面との間の位置において、前記ノズル本体から前記長手方向に対して垂直な横方向に延び、前記突出部は、前記締結具を収納するように構成される第２の孔を画定し、該ノズルアダプターは、前記上面から前記ノズル本体内に延びるシール座部と、可撓性シールを収納するように構成され、前記上面から前記ノズル本体内に延び、且つ前記シール座部を取り囲む凹部と、流体入口と、流体出口と、前記シール座部から前記流体出口まで延びる流体チャネルとを更に画定し、前記凹部及び前記シール座部は、前記横方向に沿って並ぶ、前記上面におけるそれぞれの上開口部を画定する、ノズルアダプターと、
を備え、
前記流体チャネルは、前記流体入口及び前記流体出口と流体連通し、前記流体チャネルは、弁座部によって部分的に画定され、
前記ノズルアダプターは、前記作動装置ハウジングに結合されると、前記ニードルの前記下端部が前記流体チャネル内に延びるように、前記本体キャビティ内に少なくとも部分的に配置されるように構成され、前記締結具は、前記第１の孔及び前記第２の孔を通って延び、それにより、前記締結具が前記ノズルアダプターを前記作動装置ハウジングに解除可能に固定する、分注モジュール。
【請求項１０】
前記分注モジュールは、前記ノズルアダプターの前記シール座部内に収納されるように構成される少なくとも１つのシールを更に備え、該少なくとも１つのシールは、前記ノズルアダプターの前記流体チャネルから前記作動装置ハウジングの前記ニードル通路への前記液体の流れを防止するように構成される、請求項９に記載の分注モジュール。
【請求項１１】
前記締結具は、第１の締結具であり、前記分注モジュールは、
前記ノズルアダプターの前記突出部によって画定される第３の孔及び前記作動装置ハウジングの前記底面によって画定される第４の孔を通って延びるように構成される第２の締結具と、
前記ノズルアダプターの前記突出部によって画定される第５の孔及び前記作動装置ハウジングの前記底面によって画定される第６の孔を通って延びるように構成される第３の締結具と、
を更に画定し、
前記第２の締結具及び前記第３の締結具は、前記ノズルアダプターを前記作動装置ハウジングに解除可能に固定するように構成される、請求項９に記載の分注モジュール。
【請求項１２】
前記第１の孔の全体が、前記流体チャネルから前記横方向に離隔されている、請求項９に記載の分注モジュール。
【請求項１３】
前記作動装置は、前記ニードルを、前記弁部材が前記流体出口を通る流体の流れを防止するように前記弁部材が前記弁座部に接触する第１の位置から、前記弁部材が前記弁座部から離隔される第２の位置に移行させるように構成される、請求項１または９に記載の分注モジュール。
【請求項１４】
前記液体が前記ノズルアダプターの前記流体入口から前記流体チャネルへと流れる際、前記液体は、前記流体チャネル内の内圧下にあり、前記ニードルが前記第２の位置にある場合、前記液体は、前記ノズルアダプターの前記流体出口を通って流れるようになっている、請求項１３に記載の分注モジュール。